(57)【要約】【課題】光送信部からの輻射ノイズが光受信部に伝わりにくくなり、受信感度特性が劣化せず、安価な光送受信器を得る。【解決手段】光モジュールと電子回路基板とからなる光送受信器であって、光モジュールは、電気信号を光信号に変換する光送信部と、光信号を電気信号に変換する光受信部と、光送信部と光受信部とを光学的に統合する筺体と、加入者側光回線終端装置（ＯＮＵ）もしくは局舎側光回線終端装置（ＯＬＴ）と光学的に接続する導光部品とを備え、光モジュールが固定された電子回路基板がケースに固定され、光モジュールと電子回路基板とが、電波吸収体を搭載したフレキシブル基板を用いて接続され、電波吸収体は、光送信部と光受信部との間に挟まれるように構成されることを特徴とする。【選択図】図３
2014120565.tif 000002
【特許請求の範囲】
【請求項１】
光モジュールと電子回路基板とからなる光送受信器であって、
前記光モジュールは、電気信号を光信号に変換する光送信部と、光信号を電気信号に変換する光受信部と、前記光送信部と前記光受信部とを光学的に統合する筺体と、加入者側光回線終端装置（ＯＮＵ）もしくは局舎側光回線終端装置（ＯＬＴ）と光学的に接続する導光部品とを備え、
前記光モジュールが固定された前記電子回路基板がケースに固定され、
前記光モジュールと前記電子回路基板とが、電波吸収体を搭載したフレキシブル基板を用いて接続され、
前記電波吸収体は、前記光送信部と前記光受信部との間に挟まれるように構成されることを特徴とする光送受信器。
【請求項２】
光モジュールと電子回路基板とからなる光送受信器であって、
前記光モジュールは、電気信号を光信号に変換する光送信部と、光信号を電気信号に変換する光受信部と、前記光送信部と前記光受信部とを光学的に統合する筺体と、加入者側光回線終端装置（ＯＮＵ）もしくは局舎側光回線終端装置（ＯＬＴ）と光学的に接続する導光部品とを備え、
前記光モジュールが固定された前記電子回路基板がケースに固定され、
前記光モジュールと前記電子回路基板とが、フレキシブル基板を用いて接続され、
前記フレキシブル基板を形成するフィルムは、電波吸収体からなることを特徴とする光送受信器。
【請求項３】
光モジュールと電子回路基板とからなる光送受信器であって、
前記光モジュールは、電気信号を光信号に変換する光送信部と、光信号を電気信号に変換する光受信部と、前記光送信部と前記光受信部とを光学的に統合する筺体と、加入者側光回線終端装置（ＯＮＵ）もしくは局舎側光回線終端装置（ＯＬＴ）と光学的に接続する導光部品とを備え、
前記光モジュールが固定された前記電子回路基板がケースに固定され、
前記光モジュールと前記電子回路基板とが、フレキシブル基板を用いて接続され、
前記フレキシブル基板は、主信号パターンと上下二層のＧＮＤパターンの三層で形成される層構成であり、前記主信号パターンを、前記上下二層のＧＮＤパターンが挟むように構成されることを特徴とする光送受信器。
【請求項４】
光モジュールと電子回路基板とからなる光送受信器であって、
前記光モジュールは、電気信号を光信号に変換する光送信部と、光信号を電気信号に変換する光受信部と、前記光送信部と前記光受信部とを光学的に統合する筺体と、加入者側光回線終端装置（ＯＮＵ）もしくは局舎側光回線終端装置（ＯＬＴ）と光学的に接続する導光部品とを備え、
前記光モジュールが固定された前記電子回路基板がケースに固定され、
前記光モジュールと前記電子回路基板とが、フレキシブル基板を用いて接続され、
前記フレキシブル基板の一辺以上が折り曲げられて前記光送信部と前記光受信部との間のシールド壁となるように構成されることを特徴とする光送受信器。
【請求項５】
光モジュールと電子回路基板とからなる光送受信器であって、
前記光モジュールは、電気信号を光信号に変換する光送信部と、光信号を電気信号に変換する光受信部と、前記光送信部と前記光受信部とを光学的に統合する筺体と、加入者側光回線終端装置（ＯＮＵ）もしくは局舎側光回線終端装置（ＯＬＴ）と光学的に接続する導光部品とを備え、
前記光モジュールが固定された前記電子回路基板がケースに固定され、
前記光モジュールと前記電子回路基板とが、フレキシブル基板を用いて接続され、
前記フレキシブル基板の一辺以上が箱状に折り曲げられ、前記光送信部もしくは前記光受信部を覆うように構成されることを特徴とする光送受信器。
【請求項６】
前記箱状に折り曲げられたフレキシブル基板は、折り曲げられた際の隣り合う二辺にのりしろを備え、前記のりしろで前記隣り合う二辺が固定されるように構成されることを特徴とする請求項５記載の光送受信器。
【請求項７】
前記箱状に折り曲げられたフレキシブル基板は、折り曲げられた際の隣り合う二辺に千鳥状の凹凸を備え、箱状に折り曲げた際に前記凹凸が千鳥重ねになるように嵌合されるように構成されることを特徴とする請求項５記載の光送受信器。
【発明の詳細な説明】
【技術分野】
【０００１】
この発明は、FTTB（Fiber to The Building）等の光加入者システムもしくはFTTH（Fiber To The Home）等での最大伝送速度１ギガビット／秒ないし１０ギガビット／秒の伝送速度のインターネットサービスを加入者に提供する光加入者アクセスネットワークシステムであるGEPONシステム（Gigabit Ethernet Passive Optical Network System（Ethernetは登録商標））を構成する加入者側光回線終端装置（ONU: Optical Network Unit）と、センター局に設置される局舎側光回線終端装置（OLT：Optical Line Terminal）の一方もしくは両方に搭載されており、光信号を電気信号に変換する処理と、電気信号を光信号に変換する処理を行う機能を持つ光送受信器に関するものである。
【背景技術】
【０００２】
従来の光送受信器においては、例えば、特許文献１や特許文献２に開示されているように、光モジュールと電子回路基板との間をフレキシブル基板を用いて接続することで実装性を向上させるとともに、電気信号を光信号に変換する光送信部にて発生した電気的ノイズによる光信号を電気信号に変換する光受信部の受信感度特性の劣化を低減するために、光送信部と光受信部とを各々異なる外面部分に配置し、自らを電子回路基板に固定する機構が設けられた筐体を有し、光送信部のＧＮＤピンと光受信部のＧＮＤピンとを電子基板上の同一ＧＮＤに接続する構成にしている。
【０００３】
また、光送信部にて発生した電気的ノイズによる光受信部の受信感度特性の劣化を低減するための他の方法として、例えば、特許文献３に開示されているように、光送信部と光受信部の配置された光モジュールの筐体内部において、光送信部におけるノイズ放射レベルの高い駆動用ドライバ、及び光受信部におけるノイズに対して高感度な電源回路の周辺に電波吸収体を貼り付ける構成にしている。
【先行技術文献】
【特許文献】
【０００４】
【特許文献１】特開２００８−７１７８４号公報
【特許文献２】特開２００９−２８２４５３号公報
【特許文献３】特開２００２−１８５４０８号公報
【発明の概要】
【発明が解決しようとする課題】
【０００５】
しかしながら、特許文献１、特許文献２に示すような従来の光送受信器は、送信部と受信部との間に物理的空間が存在するため、光送信部からの輻射ノイズが光受信部に伝わりやすく、受信感度特性の劣化が発生してしまうという課題があった。
また、特許文献３に示すような従来の光送受信器では、光モジュールの周辺電気部品にそれぞれ電波吸収体を貼り付けているため、電波吸収体の貼り付け位置が分散し、貼り付けコストがかかってしまうという課題があった。
【０００６】
この発明は、上記のような課題を解決するためになされたもので、光送信部からの輻射ノイズが光受信部に伝わりにくくなり、受信感度特性が劣化せず、安価な光送受信器を得ることを目的とする
【課題を解決するための手段】
【０００７】
この発明に係る光送受信器は、光モジュールと電子回路基板とからなる光送受信器であって、前記光モジュールは、電気信号を光信号に変換する光送信部と、光信号を電気信号に変換する光受信部と、前記光送信部と前記光受信部とを光学的に統合する筺体と、加入者側光回線終端装置（ＯＮＵ）もしくは局舎側光回線終端装置（ＯＬＴ）と光学的に接続する導光部品とを備え、前記光モジュールが固定された前記電子回路基板がケースに固定され、前記光モジュールと前記電子回路基板とが、電波吸収体を搭載したフレキシブル基板を用いて接続され、前記電波吸収体は、前記光送信部と前記光受信部との間に挟まれるように構成されることを特徴とする。
【発明の効果】
【０００８】
この発明によれば、光送信部、具体的には、フレキシブル基板の主信号パターンからの輻射ノイズが光受信部に伝わりにくくなり、受信感度特性が劣化しない、安価な光送受信器を得ることができる。
【図面の簡単な説明】
【０００９】
【図１】この発明の実施の形態１に係る光送受信器を搭載するＯＮＵとＯＬＴとで構成されるＧＥＰＯＮシステムのシステム構成図である。
【図２】ＧＥＰＯＮシステムを構成するＯＮＵもしくはＯＬＴのブロック図である。
【図３】この発明の実施の形態１に係る光送受信器の構成図である。
【図４】この発明の実施の形態１に係る光送受信器が電子回路基板との電気接続に用いるフレキシブル基板の構成図である。
【図５】この発明の実施の形態２に係る光送受信器の構成図である。
【図６】この発明の実施の形態３に係る光送受信器が電子回路基板との電気接続に用いるフレキシブル基板の構成図である。
【図７】この発明の実施の形態４に係る光送受信器の構成図である。
【図８】この発明の実施の形態４に係る光送受信器が電子回路基板との電気接続に用いるフレキシブル基板の展開図の一例である。
【図９】この発明の実施の形態５に係る光送受信器の構成図である。
【図１０】この発明の実施の形態５に係る光送受信器が電子回路基板との電気接続に用いるフレキシブル基板の展開図の一例である。
【図１１】この発明の実施の形態６に係る光送受信器の構成図である。
【図１２】この発明の実施の形態６に係る光送受信器が電子回路基板との電気接続に用いるフレキシブル基板の展開図の一例である。
【図１３】この発明の実施の形態７に係る光送受信器の構成図である。
【図１４】この発明の実施の形態７に係る光送受信器が電子回路基板との電気接続に用いるフレキシブル基板の展開図の一例である。
【発明を実施するための形態】
【００１０】
以下、この発明の実施の形態について添付の図面を参照しながら詳細に説明する。
実施の形態１．
まずはじめに、この発明の実施の形態１に係る光送受信器が搭載されるＯＮＵとＯＬＴとで構成されるＧＥＰＯＮシステム、および、ＯＮＵとＯＬＴの機能構成について説明する。
図１は、この発明の実施の形態１に係る光送受信器を搭載するＯＮＵ４とＯＬＴ１とで構成されるＧＥＰＯＮシステムのシステム構成図である。
図１に示すように、ＧＥＰＯＮシステムは、ＯＬＴ１と、光ファイバ２及びスターカプラ３を介して接続される複数のＯＮＵ４とで構成される。
図２は、ＧＥＰＯＮシステムを構成するＯＮＵ４もしくはＯＬＴ１のブロック図である。
ＯＬＴ１もしくはＯＮＵ４は、光送受信器部５とＭＡＣ（Ｍｅｄｉａ  Ａｃｃｅｓｓ  Ｃｏｎｔｒｏｌ）部６で構成される。光送受信器部５は、送信回路７と受信回路９と光モジュール８とを備える。ＯＬＴ１（もしくはＯＮＵ４）において、ＭＡＣ部６が局舎側（もしくはＵＮＩ（Ｕｓｅｒ  Ｎｅｔｗｏｒｋ  Ｉｎｔｅｒｆａｃｅ）側）と電気信号の送受信を行い、光送受信器部５がＯＮＵ４（もしくはＯＬＴ１）側と光信号の送受信を行う。
【００１１】
光送受信器部５は、ＭＡＣ部６から出力された電気信号を送信回路７が光信号に変換して光モジュール８を経由して送信し、ＯＮＵ４（もしくはＯＬＴ１）から光モジュール８が受信した光信号を受信回路９で電気変換してＭＡＣ部６に出力する機能を有する。ＭＡＣ部６は局舎側（もしくはＵＮＩ（ユーザ端末）側）とのデータ送受信やタイミング制御を行う。
この発明は、ＯＬＴ１もしくはＯＮＵ４における光送受信器部５に関するものである。
【００１２】
図３は、この発明の実施の形態１に係る光送受信器の構成図である。
図３に示すように、光送受信器は、光モジュール１０と電子回路基板１５とからなり、光モジュール１０を電子回路基板１５に固定し、光モジュール１０を固定した電子回路基板１５をケース１６に固定し、光モジュール１０と電子回路基板１５は、フレキシブル基板（ＦＰＣ）１７を用いることによって電気接続される。また、フレキシブル基板１７の上には電波吸収体１８が搭載される。
光モジュール１０は、光送信部１１と、光受信部１２と、筺体１３と、導光部品１４とからなる。
光送信部１１は、電気信号を光信号に変換する。光受信部１２は、光信号を電気信号に変換する。筺体１３は、光送信部１１と光受信部１２とを光学的に結合する。導光部品１４は、加入者側光回線終端装置（ＯＮＵ）もしくは局舎側光回線終端装置（ＯＬＴ）と光学的に接続するものであり、例えば光ファイバなどである。
電波吸収体１８は、光送信部１１と光受信部１２との間に挟まれるように構成される。
【００１３】
図４は、この発明の実施の形態１に係る光送受信器が電子回路基板との電気接続に用いるフレキシブル基板の構成図である。
図４に示すように、フレキシブル基板１７は、フィルム２０を除き、主信号パターンとＧＮＤパターンの二層で形成される層構成となっており、フィルム２０と、主信号パターン２１と、ＧＮＤパターン２２とからなる。
主信号パターン２１とＧＮＤパターン２２は各一層ずつで、それぞれフィルム２０に挟まれる構成となっている。なお、主信号パターン２１とＧＮＤパターン２２の間に挟まれるフィルム２０は、一般的にはポリイミド材からなるが、接着剤でもかまわない。
【００１４】
以上のように、この発明の実施の形態１に係る光送受信装置は、フレキシブル基板１７の主信号パターンからの輻射ノイズが光受信部１２に伝わりにくくなり、受信感度特性が劣化しないだけでなく、電波吸収体１８の貼り付け箇所がフレキシブル基板１７の周辺に集中するため、電波吸収体１８の貼り付けコストが抑制でき、安価な光送受信器とすることができる。
【００１５】
実施の形態２．
図５は、この発明の実施の形態２に係る光送受信器の構成図である。
実施の形態１で説明したものと同様の構成には、同一の符号を付して重複した説明を省略する。
以下に示す実施の形態２では、実施の形態１と比べて、電波吸収体１８を備えない点が異なる。また、光モジュール１０と電子回路基板１５との電気接続に用いるフレキシブル基板１７のフィルム材料が電波吸収体からなる点が異なる。
つまり、実施の形態１において図４に示したフレキシブル基板１７の層構成を形成するフィルム２０は、一般的にはポリイミド材からなるが、この実施の形態２では、フレキシブル基板１７のフィルム２０は電波吸収体からなる。
【００１６】
以上のように、この発明の実施の形態２に係る光送受信装置は、実施の形態１の効果に加え、電波吸収体の貼り付けが不要となりさらに安価な光送受信器が得られる。
【００１７】
実施の形態３．
図６は、この発明の実施の形態３に係る光送受信器が電子回路基板との電気接続に用いるフレキシブル基板の構成図である。
この発明の実施の形態３に係る光送受信器の構成については、実施の形態１の図３と同様であるため説明を省略する。以下に示す実施の形態３では、実施の形態１と比べて、電波吸収体１８を備えない点が異なる。また、フレキシブル基板１７の構成が異なる。
【００１８】
図６に示すように、フレキシブル基板１７は、フィルム２０を除き、主信号パターンと上下二層のＧＮＤパターンの三層で形成される層構成となっており、主信号パターン２１を、上下二層のＧＮＤパターン２２が挟んでいる。また、主信号パターン２１とＧＮＤパターン２２はそれぞれフィルム２０に挟まれている。
なお、主信号パターン２１とＧＮＤパターン２２の間に挟まれるフィルム２０は接着剤でもかまわない。
【００１９】
以上のように、この発明の実施の形態３に係る光送受信装置は、フレキシブル基板１７の主信号パターンからの輻射ノイズが周囲へ発出せず、また周囲から輻射ノイズを受けにくくなり、受信感度特性が劣化しないだけでなく、電波吸収体が不要となり、安価な光送受信器が得られる。
【００２０】
実施の形態４．
図７は、この発明の実施の形態４に係る光送受信器の構成図である。
実施の形態１〜３で説明したものと同様の構成には、同一の符号を付して重複した説明を省略する。
以下に示す実施の形態４では、実施の形態１と比べて、電波吸収体１８を備えない点が異なる。また、光モジュール１０と電子回路基板１５との電気接続に用いるフレキシブル基板１７の構成が異なる。
図７に示すように、光モジュール１０と電子回路基板１５とを電気接続するフレキシブル基板１７の一辺が折り曲げられ、光送信部１１と光受信部１２との間のシールド壁２４となるように構成される。
シールド壁２４にはリード端子２５が設けられ、リード端子２５はケース１６のＧＮＤパターンもしくは電子回路基板１５のＧＮＤパターンとはんだ付け等の方法で接続されるようにしてもよい。
なお、図７において、フレキシブル基板１７の一辺が折り曲げられる構成としたが、フレキシブル基板１７の一辺以上が折り曲げられる構成であればよい。
【００２１】
図８は、この発明の実施の形態４に係る光送受信器が電子回路基板１５との電気接続に用いるフレキシブル基板１７の展開図の一例である。
図８に示すように、シールド壁２４の内層はＧＮＤパターン２２からなり、ＧＮＤパターン２２とリード端子２５が一体となっている。
なお、折り曲げられるフレキシブル基板１７は、光送信側でも光受信側でもどちら側のフレキシブル基板でも構わないし、両方のフレキシブル基板１７が折り曲げられる構成であっても構わない。図８では、光受信側のフレキシブル基板１７が折り曲げられる場合のフレキシブル基板１７の例を示している。
【００２２】
なお、フレキシブル基板１７について、ここでは実施の形態１同様、図４に示すようにフィルム２０を除き主信号パターンとＧＮＤパターンの二層のものとしたが、実施の形態３で図６に示したような、フィルム２０を除き、主信号パターンと上下二層のＧＮＤパターンの三層で形成される層構成のものであってもよい。
【００２３】
以上のように、この発明の実施の形態４に係る光送受信装置は、実施の形態２，３同様、フレキシブル基板１７の主信号パターンからの輻射ノイズが周囲へ発出せず、また、周囲から輻射ノイズを受けにくくなり、受信感度特性が劣化しないだけでなく、電波吸収体が不要となり、安価な光送受信器が得られる。
【００２４】
実施の形態５．
図９は、この発明の実施の形態５に係る光送受信器の構成図である。
実施の形態１〜４で説明したものと同様の構成には、同一の符号を付して重複した説明を省略する。
以下に示す実施の形態５では、実施の形態４と比べて、光モジュール１０と電子回路基板１５との電気接続に用いるフレキシブル基板１７の構成が異なるのみである。
図９に示すように、光モジュール１０と電子回路基板１５とを電気接続するフレキシブル基板１７の一辺以上が箱状に折り曲げられ（箱曲げ部２８）、箱曲げ部２８で光送信部１１を覆うように構成される。
【００２５】
図１０は、この発明の実施の形態５に係る光送受信器が電子回路基板との電気接続に用いるフレキシブル基板１７の展開図の一例である。
フレキシブル基板１７が箱状に折り曲げられた際にできる面の内層は、ＧＮＤパターン２２からなる。
なお、実施の形態４同様、ＧＮＤパターン２２からリード端子２５が出ていて、リード端子２５が電子回路基板１５やケース１６と接続されるようにしてもよい。
また、図９，１０では、光送信側のフレキシブル基板１７が箱状に折り曲げられ、光送信部１１を箱曲げ部２８で覆う例を示したが、箱状に折り曲げられるフレキシブル基板１７は、光送信側でも光受信側でもどちら側のフレキシブル基板１７でも構わないし、両方のフレキシブル基板１７が折り曲げられる構成であってもよく、箱曲げ部２８で覆うのは、光送信部１１もしくは光受信部１２の片方でも両方でもどちらでも構わない。
【００２６】
また、フレキシブル基板１７について、ここでは図４に示すようにフィルム２０を除き、主信号パターンとＧＮＤパターンの二層のものとしたが、実施の形態３で図６に示したような、フィルム２０を除き主信号パターンと上下二層のＧＮＤパターンの三層で形成される層構成のものであってもよい。
【００２７】
以上のように、この発明の実施の形態５に係る光送受信器は、実施の形態２〜４同様、フレキシブル基板１７の主信号パターンからの輻射ノイズが周囲へ発出せず、また、周囲から輻射ノイズを受けにくくなり、受信感度特性が劣化しないだけでなく、電波吸収体が不要となり、安価な光送受信器が得られる。
【００２８】
実施の形態６．
図１１は、この発明の実施の形態６に係る光送受信器の構成図である。
実施の形態１〜５で説明したものと同様の構成には、同一の符号を付して重複した説明を省略する。
以下に示す実施の形態６では、実施の形態４，５と比べて、光モジュール１０と電子回路基板１５との電気接続に用いるフレキシブル基板１７の構成が異なるのみである。
図１１に示すように、光モジュール１０と電子回路基板１５とを電気接続するフレキシブル基板１７の一辺以上が箱状に折り曲げられ（箱曲げ部２８）、箱曲げ部２８で光送信部１１を覆うように構成される。また、箱曲げ部２８は、隣り合う二辺にのりしろ３２を備え、のりしろ３２で隣り合う二辺が固定される。
【００２９】
図１２は、この発明の実施の形態６に係る光送受信器が電子回路基板との電気接続に用いるフレキシブル基板１７の展開図の一例である。なお、図１２（ａ）は、フレキシブル基板１７の表面であり、図１２（ｂ）は、フレキシブル基板１７の裏面である。
この実施の形態６では、図１２に示すように、箱曲げ部２８に、のりしろ３２とリード端子３３が設けられる。
そして、図１１に示すように、箱曲げ状に折り曲げた際の隣り合う二辺ののりしろ３２同士がはんだ付け等の方法で接合される。また、リード端子３３が電子回路基板１５に設けられたＧＮＤパターン３４とはんだ付け等の方法で接合されるようにしてもよい。
なお、のりしろ３２とリード端子３３とは、フレキシブル基板１７の内層であるＧＮＤパターン２２と一体となっている（図１２参照）。また、箱曲げ部２８にできる隙間３５の開口長、すなわち、円形であればその直系、四角形であればその対角線の長さが、ＥＭＩ対策の文献等で知られている通り、光送受信器で送受信される信号波長λの４分の１以下になるようにすることで、光送信部１１からの輻射ノイズの漏れをほぼ完全に防ぐことができる。
【００３０】
また、図１１，１２では、光送信側のフレキシブル基板１７が箱状に折り曲げられ、光送信部１１を箱曲げ部２８で覆う例を示したが、箱状に折り曲げられるフレキシブル基板１７は、光送信側でも光受信側でもどちら側のフレキシブル基板１７でも構わないし、両方のフレキシブル基板１７が折り曲げられる構成であってもよく、箱曲げ部２８で覆うのは、光送信部１１もしくは光受信部１２の片方でも両方でもどちらでも構わない。
【００３１】
また、フレキシブル基板１７について、ここでは図４に示すようにフィルム２０を除き、主信号パターンとＧＮＤパターンの二層のものとしたが、実施の形態３で図６に示したような、フィルム２０を除き主信号パターンと上下二層のＧＮＤパターンの三層で形成される層構成のものであってもよい。
【００３２】
以上のように、この発明の実施の形態６に係る光送受信器は、実施の形態２〜５同様、フレキシブル基板１７の主信号パターンからの輻射ノイズが周囲へ発出せず、また、周囲から輻射ノイズを受けにくくなり、受信感度特性が劣化しないだけでなく、電波吸収体が不要となり、安価な光送受信器が得られる。
【００３３】
実施の形態７．
図１３は、この発明の実施の形態７に係る光送受信器の構成図である。
実施の形態１〜６で説明したものと同様の構成には、同一の符号を付して重複した説明を省略する。
以下に示す実施の形態７では、実施の形態４〜６と比べて、光モジュール１０と電子回路基板１５との電気接続に用いるフレキシブル基板１７の構成が異なるのみである。
図１３に示すように、光モジュール１０と電子回路基板１５とを電気接続するフレキシブル基板１７の一辺以上が箱状に折り曲げられ、その箱曲げ部２８で光送信部１１を覆うように構成される。また、箱曲げ部２８は、隣り合う二辺に凹凸部３７を備え（図１４を用いて後述する）、凹凸部の凹凸が千鳥重ねになるように固定される。
【００３４】
図１４は、この発明の実施の形態７に係る光送受信器が電子回路基板１５との電気接続に用いるフレキシブル基板１７の展開図の一例である。
この実施の形態７では、図１４に示すように、箱曲げ部２８に、箱曲げ状に折り曲げた際の隣り合う二辺が千鳥状になるような凹凸部３７が設けられ、箱状に折り曲げられた際に、図１３に示すように、それら凹凸が千鳥重ねになるように嵌合されて千鳥重ね部３８を構成する。
また、実施の形態６同様、ＧＮＤパターン２２と一体となっているリード端子３３を電子回路基板１５に設けたＧＮＤパターン３４とはんだ付け等の方法で接合する構成としてもよい。
また、箱曲げ部２８にできる隙間３５の開口長が、光送受信器で送受信される信号波長λの４分の１以下になるようにすることで、送信部からの輻射ノイズの漏れをほぼ完全に防ぐことができる。
【００３５】
なお、図１３，１４では、光送信側のフレキシブル基板１７が箱状に折り曲げられ、光送信部１１を箱曲げ部２８で覆う例を示したが、箱状に折り曲げられるフレキシブル基板１７は、光送信側でも光受信側でもどちら側のフレキシブル基板１７でも構わないし、両方のフレキシブル基板１７が折り曲げられる構成であってもよく、箱曲げ部２８で覆うのは、光送信部１１もしくは光受信部１２の片方でも両方でもどちらでも構わない。
【００３６】
また、フレキシブル基板１７について、ここでは図４に示すようにフィルム２０を除き、主信号パターンとＧＮＤパターンの二層のものとしたが、実施の形態３で図６に示したような、フィルム２０を除き主信号パターンと上下二層のＧＮＤパターンの三層で形成される層構成のものであってもよい。
【００３７】
以上のように、この発明の実施の形態７に係る光送受信器は、実施の形態２〜６同様、フレキシブル基板１７の主信号パターンからの輻射ノイズが周囲へ発出せず、また、周囲から輻射ノイズを受けにくくなり、受信感度特性が劣化しないだけでなく、電波吸収体が不要となり、安価な光送受信器が得られる。
【００３８】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００３９】
１  ＯＬＴ、２  光ファイバ、３  スターカプラ、４  ＯＮＵ、５  光送受信器部、６  ＭＡＣ部、７  送信回路、８、１０  光モジュール、９  受信回路、１１  光送信部、１２  光受信部、１３  筺体、１４  導光部品、１５  電子回路基板、１６  ケース、１７  フレキシブル基板（ＦＰＣ）、１８  電波吸収体、２０  フィルム、２１  主信号パターン、２２，３４  ＧＮＤパターン、２４  シールド壁、２５、３３  リード端子、２８  箱曲げ部、３２  のりしろ、３５  隙間。
【図１】
2014120565.tif 000003
【図２】
2014120565.tif 000004
【図３】
2014120565.tif 000005
【図４】
2014120565.tif 000006
【図５】
2014120565.tif 000007
【図６】
2014120565.tif 000008
【図７】
2014120565.tif 000009
【図８】
2014120565.tif 000010
【図９】
2014120565.tif 000011
【図１０】
2014120565.tif 000012
【図１１】
2014120565.tif 000013
【図１２】
2014120565.tif 000014
【図１３】
2014120565.tif 000015
【図１４】
2014120565.tif 000016